(57)【要約】【課題】接眼レンズを光軸に動かして視度調整したときであっても、視度調整範囲を大きくとることができる画像表示装置を提供する。【解決手段】画像情報に応じた強度の光を出射する画像光出射手段と、この画像光出射手段から出射される光を利用者の眼８０の瞳孔８１に導く接眼レンズ５０と、視度調整のために接眼レンズ５０の位置を光軸方向に移動可能とする接眼レンズ移動機構６０とを備え、利用者の眼８０の瞳孔８１と光学的にほぼ共役な位置に、視度補正用レンズ６３を配置可能とした。【選択図】図４
2010134050.tif 000002
【特許請求の範囲】
【請求項１】
画像情報に応じた強度の光を出射する画像光出射手段と、
前記画像光出射手段から出射される光を利用者の眼の瞳孔に導く接眼レンズと、
視度調整のために前記接眼レンズの位置を光軸方向に移動可能とする接眼レンズ移動機構と、を備え、
前記利用者の眼の瞳孔と光学的にほぼ共役な位置に、視度補正用レンズを配置可能としたことを特徴とする画像表示装置。
【請求項２】
画像情報に応じた強度の光を出射する画像光出射手段と、
前記画像光出射手段から出射される光を利用者の眼の瞳孔に導く接眼レンズと、
視度調整のために可変焦点レンズと、
前記可変焦点レンズの位置を光軸方向に移動可能とする可変焦点レンズ移動機構と、を備え、
前記利用者の眼の瞳孔と光学的にほぼ共役な位置に、視度補正用レンズを配置可能としたことを特徴とする画像表示装置。
【請求項３】
前記視度補正用レンズを着脱する着脱機構を設け、前記視度補正用レンズを交換可能としたことを特徴とする請求項１又は請求項２に記載の画像表示装置。
【請求項４】
前記利用者の眼の瞳孔と光学的に共役な位置に、前記視度補正用レンズを移動可能とする視度補正用レンズ移動機構を設けたことを特徴とする請求項１又は請求項２に記載の画像表示装置。
【請求項５】
前記画像光出射手段と前記接眼レンズとの間の中間像面に回折格子と、
前記回折格子を光軸方向に移動可能とする回折格子移動機構と、を備えたことを特徴とする請求項２〜４のいずれか１項に記載の画像表示装置。
【請求項６】
前記回折格子移動機構は、前記着脱機構又は前記視度補正用レンズ移動機構と連動して動作し、前記着脱機構又は前記視度補正用レンズ移動機構により前記利用者の眼の瞳孔と光学的にほぼ共役な位置に前記視度補正用レンズが配置されていない状態から配置される状態となって前記中間像面がずれたとき、前記回折格子移動機構は前記回折格子を前記中間像面の位置に移動することを特徴とする請求項５に記載の画像表示装置。
【請求項７】
前記視度補正用レンズは乱視用であることを特徴とする請求項１〜６のいずれか１項に記載の画像表示装置。
【発明の詳細な説明】
【技術分野】
【０００１】
本発明は、画像表示装置に関し、特に、画像情報に応じた強度の光を走査して瞳孔に入射し、その入射光により網膜上に画像を投影し、利用者に画像情報に応じた画像を視認させる画像表示装置に関する。
【背景技術】
【０００２】
近年、画像情報に応じた強度の光を走査して瞳孔に入射し、その入射した光により網膜上に画像を投影することにより、利用者に画像情報に応じた画像を視認させる画像表示装置が提案されている（例えば、特許文献１参照）。
【０００３】
この種の画像表示装置は、例えば、画像情報に応じて強度を変調した光を出射する光出射手段、この光出射手段から出射された光を走査する走査手段、この走査手段により走査された光を観察者である利用者の瞳孔に入射させるための接眼レンズなどを有している。
【０００４】
そして、走査手段により走査された光が利用者の眼の瞳孔に入射することによって、利用者の網膜上に画像情報に応じた画像が直接に投影され、利用者は、その瞳孔前方に虚像として画像情報に応じた画像を表示画像として視認できる。
【特許文献１】特開２００７−１７８９４１号公報
【発明の開示】
【発明が解決しようとする課題】
【０００５】
ところが、上記従来の画像表示装置では、接眼レンズの位置によっては、射出瞳の位置と瞳孔の位置とが一致しない場合がある。
【０００６】
そこで、接眼レンズの位置を光軸方向に移動可能とする接眼レンズ移動機構を設け、接眼レンズの位置を光軸方向に移動させて、視度（ディオプタ）調整をすることが考えられる。
【０００７】
しかしながら、接眼レンズを光軸方向に動かすと、瞳孔の位置に射出瞳が合わなくなり、接眼レンズから利用者の眼に向けて出射される光のうち一部が虹彩によって瞳孔に入射しない光がでてくる虞がある。そのため、視度調整範囲を大きくとることが困難であった。
【０００８】
本発明は、斯かる事情に鑑みてなされたものであって、接眼レンズ等を光軸に動かして視度調整したときであっても、視度調整範囲を大きくとることができる画像表示装置を提供することを目的とする。
【課題を解決するための手段】
【０００９】
そこで、上記課題を解決するために、請求項１に記載の発明は、画像情報に応じた強度の光を出射する画像光出射手段と、前記画像光出射手段から出射される光を利用者の眼の瞳孔に導く接眼レンズと、視度調整のために前記接眼レンズの位置を光軸方向に移動可能とする接眼レンズ移動機構と、を備え、前記利用者の眼の瞳孔と光学的にほぼ共役な位置に、視度補正用レンズを配置可能としたものである。
【００１０】
また、請求項２に記載の発明は、画像情報に応じた強度の光を出射する画像光出射手段と、前記画像光出射手段から出射される光を利用者の眼の瞳孔に導く接眼レンズと、視度調整のために可変焦点レンズと、前記可変焦点レンズの位置を光軸方向に移動可能とする可変焦点レンズ移動機構と、を備え、前記利用者の眼の瞳孔と光学的にほぼ共役な位置に、視度補正用レンズを配置可能としたものである。
【００１１】
また、請求項３に記載の発明は、請求項１又は請求項２に記載の画像表示装置において、前記視度補正用レンズを着脱する着脱機構を設け、前記視度補正用レンズを交換可能としたものである。
【００１２】
また、請求項４に記載の発明は、請求項１又は請求項２に記載の画像表示装置において、前記利用者の眼の瞳孔と光学的に共役な位置に、前記視度補正用レンズを移動可能とする視度補正用レンズ移動機構を設けたものである。
【００１３】
また、請求項５に記載の発明は、請求項２〜４のいずれか１項に記載の画像表示装置において、前記画像光出射手段と前記接眼レンズとの間の中間像面に回折格子と、前記回折格子を光軸方向に移動可能とする回折格子移動機構と、を備えたものである。
【００１４】
また、請求項６に記載の発明は、請求項５に記載の画像表示装置において、前記回折格子移動機構は、前記着脱機構又は前記視度補正用レンズ移動機構と連動して動作し、前記着脱機構又は前記視度補正用レンズ移動機構により前記利用者の眼の瞳孔と光学的にほぼ共役な位置に前記視度補正用レンズが配置されていない状態から配置される状態となって前記中間像面がずれたとき、前記回折格子移動機構は前記回折格子を前記中間像面の位置に移動するものである。
【００１５】
また、請求項７に記載の発明は、請求項１〜６のいずれか１項に記載の画像表示装置において、前記視度補正用レンズは乱視用であるものである。
【発明の効果】
【００１６】
請求項１に記載の発明によれば、視度調整のために接眼レンズの位置を光軸方向に移動可能とする接眼レンズ移動機構に加え、利用者の眼の瞳孔と光学的にほぼ共役な位置に、視度補正用レンズを配置可能としたので、接眼レンズを光軸に動かして視度調整したときであっても、視度調整範囲を大きくとることができる。
【００１７】
また、請求項２に記載の発明によれば、視度調整のために可変焦点レンズの位置を光軸方向に移動可能とする可変焦点レンズ移動機構に加え、利用者の眼の瞳孔と光学的にほぼ共役な位置に、視度補正用レンズを配置可能としたので、可変焦点レンズを光軸に動かして視度調整したときであっても、視度調整範囲を大きくとることができる。
【００１８】
また、請求項３に記載の発明によれば、視度補正用レンズを着脱する着脱機構を設けて視度補正用レンズを交換可能としたので、視度補正用レンズの変更が容易となる。
【００１９】
また、請求項４に記載の発明によれば、利用者の眼の瞳孔と光学的に共役な位置に、視度補正用レンズを移動可能とする視度補正用レンズ移動機構を設けたので、視度補正用レンズを配置することが容易となる。
【００２０】
また、請求項５に記載の発明によれば、画像光出射手段と接眼レンズとの間の中間像面に回折格子と、回折格子を光軸方向に移動可能とする回折格子移動機構と備えたので、射出瞳を拡大することが可能となると共に、視度補正用レンズによって中間像面の位置がずれたときでも調整が可能となる。
【００２１】
また、請求項６に記載の発明によれば、回折格子移動機構は、着脱機構又は視度補正用レンズ移動機構と連動して動作し、着脱機構又は視度補正用レンズ移動機構により利用者の眼の瞳孔と光学的にほぼ共役な位置に視度補正用レンズが配置されていない状態から配置される状態となって中間像面がずれたとき、回折格子移動機構は回折格子を前記中間像面の位置に移動するので、利用者の煩わしさを回避することができる。
【００２２】
また、請求項７に記載の発明によれば、視度補正用レンズは乱視用であるため、利用者が乱視である場合に有効となる。
【発明を実施するための最良の形態】
【００２３】
以下に、本発明の画像表示装置について好適な実施形態について説明する。ここでは、画像表示装置の一例として、走査した画像光を利用者の少なくとも一方の眼の網膜に投射して利用者に画像を視認させる網膜走査ディスプレイについて説明する。
【００２４】
〔１．網膜走査ディスプレイの全体構成〕
以下、本発明の一実施形態における網膜走査ディスプレイについて図面を参照して説明する。図１は本実施形態における網膜走査ディスプレイの構成を示す図である。
【００２５】
図１に示すように、本実施形態における網膜走査ディスプレイ１には、表示制御部１０、光源部２０、光ファイバ３０、光走査部４０、接眼レンズ５０、視度調整部６０が設けられる。そして、光源部２０から出射された光を光走査部４０で走査し、接眼レンズ５０を介して利用者の少なくとも一方の眼８０の瞳孔８１を投射対象として投射することで、利用者の網膜８２上に画像が投影表示され、利用者に画像情報に応じた画像を視認させる。なお、表示制御部１０、光源部２０、光ファイバ３０及び光走査部４０により、画像情報に応じた強度の光を出射する画像光出射手段が構成される。
【００２６】
表示制御部１０には、外部から画像情報である画像信号Ｓが入力される。この画像信号Ｓには、複数の画素を行列状に配列した２次元画像を生成するための各画素の情報（輝度、色彩などの情報）が含まれる。表示制御部１０には、画像信号Ｓに基づいて画像を合成するための要素となる各信号を発生する画像信号供給回路１１と、Ｒレーザドライバ１３Ｒ，Ｇレーザドライバ１３Ｇ，Ｂレーザドライバ１３Ｂとが設けられる。画像信号供給回路１１は、赤（Ｒ），緑（Ｇ），青（Ｂ）の各画像信号１２Ｒ，１２Ｇ，１２Ｂ、水平駆動信号１８、垂直駆動信号１９などを出力して、光源部２０や光走査部４０を制御している。この画像信号１２Ｒ，１２Ｇ，１２Ｂは画像信号供給回路１１からそれぞれ出力される。また、画像信号供給回路１１から出力される各画像信号１２Ｒ，１２Ｇ，１２Ｂに応じた強度の光となるようにＲレーザドライバ１３Ｒ，Ｇレーザドライバ１３Ｇ，Ｂレーザドライバ１３Ｂにより光源部２０の各レーザを駆動する。
【００２７】
光源部２０は、Ｒレーザ２１，Ｇレーザ２２，Ｂレーザ２３を有しており、画像信号１２Ｒ，１２Ｇ，１２Ｂに応じたレーザ光を出射する。すなわち、Ｒレーザ２１，Ｇレーザ２２，Ｂレーザ２３は、Ｒレーザドライバ１３Ｒ，Ｇレーザドライバ１３Ｇ，Ｂレーザドライバ１３Ｂから出力される駆動信号により画像信号１２Ｒ，１２Ｇ，１２Ｂに応じて強度変調されたレーザ光を出射する。さらに、光源部２０には、各レーザ２１〜２３より出射されたレーザ光を平行光にコリメートするように設けられたコリメート光学系２４と、それぞれコリメートされたレーザ光を合波するダイクロイックミラー２５と、合波されたレーザ光を光ファイバ３０に導く結合光学系２６とが設けられている。
【００２８】
光源部２０から光ファイバ３０に導かれたレーザ光は光走査部４０に入射される。この光走査部４０には、光ファイバ３０から出射されたレーザ光をコリメートするコリメート光学系４１、このコリメートされたレーザ光を水平方向（第１走査方向）に走査する水平走査部４２と、この水平方向に走査されたレーザ光を後述の垂直走査部４４に導くリレー光学系４３と、リレー光学系４３を介して入射されたレーザ光を水平方向と略直交する垂直方向（第２走査方向）に走査する垂直走査部４４とを有している。
【００２９】
水平駆動回路４２ｃは、表示制御部１０から出力される水平駆動信号１８に基づいて、光走査素子４２ａの反射ミラー４２ｂを駆動する。光走査素子４２ａは共振型光走査素子とし、表示制御部１０から出力される水平駆動信号１８は、例えば、正弦波形状の信号としており、水平駆動回路４２ｃは反射ミラー４２ｂを共振状態で駆動して、光源部２０から出射されたレーザ光を水平有効走査範囲で走査する。
【００３０】
垂直駆動回路４４ｃは、表示制御部１０から出力される垂直駆動信号１９に基づいて、光走査素子４４ａの反射ミラー４４ｂを駆動する。表示制御部１０から出力される垂直駆動信号１９は、例えば、鋸歯形状の信号としており、垂直駆動回路４４ｃは反射ミラー４４ｂを非共振状態で強制駆動して、水平走査部４２で水平方向に走査されたレーザ光を垂直有効走査範囲で走査する。
【００３１】
そして、このように光走査部４０で走査されたレーザ光は２次元画像を形成する光（以下、「画像光」とも呼ぶ。）として、接眼レンズ５０を介して利用者の眼８０の瞳孔８１に入射され、画像光により形成される２次元画像が利用者の眼８０の網膜８２上に投影される。
【００３２】
〔２．視度調整部６０〕
本実施形態における網膜走査ディスプレイ１は、視度調整部６０により視度調整を可能としており、以下においてこの視度調整部６０の構成を具体的に説明する。図２は光走査素子４４ａと利用者の瞳孔８１との光学的関係の説明図、図３は視度補正用レンズを配置せずに接眼レンズを光軸方向に移動したときの光学特性を示す図、図４は光走査素子４４ａと接眼レンズ５０との間に視度補正用レンズを配置した様子を示す図、図５及び図６は着脱機構の構成を示す図、図７は視度補正用レンズ移動機構の構成を示す図、図８は回折格子移動機構を説明するための図、図９は可焦点レンズ及び可焦点レンズ移動機構を示す図である。
【００３３】
視度調整部６０は、図１に示すように、視度調整のために接眼レンズ５０の位置を光軸Ｌｓ方向に移動可能とする接眼レンズ移動機構６１を有し、さらに利用者の眼８０の瞳孔８１と光学的にほぼ共役な位置に、視度補正用レンズ６３を配置可能としている。また、接眼レンズ移動機構６１には利用者が操作可能なスライドレバー６２が設けられており、利用者がこのスライドレバー６２を移動させることにより、接眼レンズ５０が光軸Ｌｓ方向に移動する。
【００３４】
まず、視度補正用レンズ６３を配置せずに接眼レンズを光軸方向に移動したときの光学特性を図２及び図３を参照して説明する。
【００３５】
表示制御部１０は、入力される画像信号Ｓに応じた強度の光を画像信号Ｓに応じた表示画像Ｍの画素単位で順次光源部２０から出射し、光走査部４０で走査して接眼レンズ５０へ出射する。接眼レンズ５０は、図２に示すように、光走査素子４４ａの反射ミラー４４ｂと利用者の瞳孔８１とが共役の関係となるように配置されており、網膜走査ディスプレイ１の射出瞳は利用者の瞳孔８１の位置になる。従って、表示画像Ｍは接眼レンズ５０により第１の利用者の眼８０の網膜８２に結像する。なお、光走査素子４４ａの反射ミラー４４ｂと利用者の瞳孔８１との関係のような共役を、ここでは「瞳共役」と呼ぶこととする。
【００３６】
ここで、光走査素子４４ａの反射ミラー４４ｂと接眼レンズ５０との間の中間像面（利用者の眼８０の網膜８２と光学的に共役な関係にある像面）と反射ミラー４４ｂとの間の距離を「ａ」とし、この中間像面と接眼レンズ５０との間の距離を「Ｓ１」とし、反射ミラー４４ｂと接眼レンズ５０との間の距離を「Ｓ２」とし、さらに、接眼レンズ５０の焦点位置を「ｆ」とすると、これらの関係は、以下の式（１）〜（３）で表すことができる。
１／ｆ＝１／Ｓ１’−１／Ｓ１    ・・・（１）
１／ｆ＝１／Ｓ２’−１／Ｓ２    ・・・（２）
Ｓ１−ａ＝Ｓ２                  ・・・（３）
【００３７】
そして、接眼レンズ移動機構６１により接眼レンズ５０を光軸Ｌｓ方向に沿って反射ミラー４４ｂ側に移動させたときの特性は、図３に示すようになる。この図からわかるように、反射ミラー４４ｂと光学的に共役（瞳共役）となる網膜走査ディスプレイ１の射出瞳の位置は、反射ミラー４４ｂの位置から遠ざかっていく。
【００３８】
従って、網膜走査ディスプレイ１の射出瞳の位置が瞳孔８１の位置と合わなくなり、接眼レンズから利用者の眼に向けて出射される光のうち一部が虹彩によって瞳孔に入射しない光がでてくる虞がある。
【００３９】
そこで、本実施形態の網膜走査ディスプレイ１では、図４に示すように、利用者の眼８０の瞳孔８１と光学的にほぼ共役な位置に、視度補正用レンズ６３を配置可能としている。
【００４０】
視度補正用レンズ６３を利用者の眼８０の瞳孔８１と光学的にほぼ共役な位置に配置することにより、光走査素子４４ａの反射ミラー４４ｂと利用者の眼８０の瞳孔８１との間の光学的な瞳の共役関係に影響を与えずに、視度（ディオプタ）調整範囲を変えることができる。
【００４１】
従って、大きく視度を調整するときには視度補正用レンズ６３を配置し、微調整を接眼レンズ５０の光軸方向への移動により行うことで、接眼レンズ５０を用いるだけの場合に比べて視度調整の範囲を拡大することができる。
【００４２】
しかも、視度調整範囲の異なる視度補正用レンズ６３を複数用意することにより、段階的に視度調整範囲を拡張することができる。なお、視度補正用レンズ６３は乱視用の視度補正用レンズを用いることも当然に可能である。
【００４３】
なお、上述においては、視度調整のために接眼レンズ５０を可変焦点レンズとし、この接眼レンズ５０の位置を光軸方向に移動可能とする接眼レンズ移動機構６１を備えることとしたが、接眼レンズ５０で視度調整をせずに、別途可変焦点レンズ６４（図９（ａ），（ｂ）参照）と、この可変焦点レンズの位置を光軸方向に移動可能とする可変焦点レンズ移動機構６８（図９（ａ），（ｂ）参照）と、を設けて、視度調整を行うようにしてもよい。
【００４４】
ここで、本実施形態の網膜走査ディスプレイ１では、図５に示すように、視度補正用レンズ６３を着脱する着脱機構５１を設けている。この着脱機構５１は、視度補正用レンズ６３を挿入するための挿入溝５４を有する支持台５３で構成されており、視度補正用レンズ６３を挿入溝５４に挿入することにより着脱可能に嵌合し、視度補正用レンズ６３の中心が光軸Ｌｓを通る位置に視度補正用レンズ６３が配置される。
【００４５】
また、図６に示すような着脱機構５１’とすることもできる。この着脱機構５１’は、支持台５３’と視度補正用レンズユニット５６とから構成される。支持台５３’は、視度補正用レンズユニット５６を挿入する挿入溝５４’と、視度補正用レンズユニット５６を係止する凸部５５ａ，５５ｂを備えている。また、視度補正用レンズユニット５６は、開口５８ａ〜５８ｃを設けた板状基部５７と、凸部５５ａ，５５ｂと着脱自在に嵌合する溝部５９ａ〜５９ｄとを備えている。また、開口５８ｂ、５８ｃには、それぞれ視度調整範囲の異なる視度補正用レンズ６３ａ、６３ｂを配置可能としている。
【００４６】
この着脱機構５１’は、どの溝部５９ａ〜５９ｄに凸部５５ａ，５５ｂを嵌合するかによって、光軸Ｌｓ上に視度補正用レンズを配置しない状態、視度補正用レンズ６３ａを配置する状態、視度補正用レンズ６３ｂを配置する状態の３つの状態に切り替え可能としている。
【００４７】
また、着脱機構５１，５１’ではなく、視度補正用レンズ６３を移動可能とする視度補正用レンズ移動機構を設けるようにしてもよい。
【００４８】
例えば、図７に示す視度補正用レンズ移動機構７０では、視度補正用レンズユニット７１、視度補正用レンズユニット移動機構７３とから構成される。視度補正用レンズユニット７１は、視度補正用レンズがない開口７２ａと、視度補正用レンズ６３を装着する開口７２ｂとを備えている。そして、視度補正用レンズユニット移動機構７３は、視度補正用レンズユニット７１を光軸Ｌｓと直交する方向に移動させ、光軸Ｌｓ上に開口７２ａ、視度補正用レンズ６３のいずれかを配置する。
【００４９】
また、網膜走査ディスプレイ１の射出瞳を拡大するために、垂直走査部４４と接眼レンズ５０との間の中間像面に回折格子６５を配置することもできる。この回折格子６５は、例えば１次方向とこの１次方向と略直交する２次方向にそれぞれ入射した光を回折する２次元回折格子とすることにより、射出瞳を２次元方向に拡大することができる。
【００５０】
上述のように視度補正用レンズ６３を配置すると、垂直走査部４４と接眼レンズ５０との間の中間像面の位置がずれる。そこで、本実施形態の網膜走査ディスプレイ１では、図８に示すように、回折格子６５を光軸方向に移動可能とする回折格子移動機構６６を設けることとしている。
【００５１】
この回折格子移動機構６６は、視度補正用レンズ６３毎の移動位置目盛りが利用者により視認可能に表示されており、利用者は、視度補正用レンズ６３の種類に応じてこの移動位置目盛りに従ってスライドレバー６７を操作することによって、回折格子６５を中間像面に移動させることができる（図８（ａ），（ｂ）参照）。
【００５２】
なお、この回折格子移動機構６６は、視度補正用レンズ６３の装着に応じて自動的に回折格子６５の位置を変位した中間像面へ移動させるようにしてもよい。このようにすることで、利用者の利便性を向上させることができる。
【００５３】
例えば、回折格子移動機構６６は、着脱機構５１，５１’ と連動して動作し、着脱機構５１，５１’により利用者の眼８０の瞳孔８１と光学的にほぼ共役な位置に視度補正用レンズ６３（６３ａ，６３ｂ）が配置されていない状態から配置される状態となって中間像面がずれたときに、回折格子６５を変位した中間像面の位置に移動するように構成する。
【００５４】
また、回折格子移動機構６６は、視度補正用レンズ移動機構７０と連動して動作し、視度補正用レンズ移動機構７０により利用者の眼８０の瞳孔８１と光学的にほぼ共役な位置に視度補正用レンズ６３が配置されていない状態から配置される状態となって中間像面の位置が変位したときに、回折格子６５を変位した中間像面の位置に移動するように構成する。
【００５５】
以上、本発明の実施の形態のいくつかを図面に基づいて詳細に説明したが、これらは例示であり、当業者の知識に基づいて種々の変形、改良を施した他の形態で本発明を実施することが可能である。
【図面の簡単な説明】
【００５６】
【図１】本発明の一実施形態における網膜走査ディスプレイの構成を示す図である。
【図２】光走査素子と利用者の瞳孔との光学的関係の説明図である。
【図３】視度補正用レンズを配置せずに接眼レンズを光軸方向に移動したときの光学特性を示す図である。
【図４】光走査素子と接眼レンズとの間に視度補正用レンズを配置した様子を示す図である。
【図５】着脱機構の構成を示す図である。
【図６】着脱機構の構成を示す図である。
【図７】視度補正用レンズ移動機構の構成を示す図である。
【図８】回折格子移動機構を説明するための図である。
【図９】可焦点レンズ及び可焦点レンズ移動機構を示す図である。
【符号の説明】
【００５７】
１  網膜走査ディスプレイ
１０  表示制御部
１１  画像信号供給回路
１４  制御部
２０  光源部
３０  光ファイバ
４０  光走査部
５０  接眼レンズ
５１，５１’  着脱機構
６１  接眼レンズ移動機構
６３  視度補正用レンズ
６４  可焦点レンズ
６５  回折格子
６６  回折格子移動機構
６７  可焦点レンズ移動機構
７０  視度補正用レンズ移動機構
８０  利用者の眼
８１  利用者の眼の瞳孔
８２  利用者の眼の網膜
【図１】
2010134050.tif 000003
【図２】
2010134050.tif 000004
【図３】
2010134050.tif 000005
【図４】
2010134050.tif 000006
【図５】
2010134050.tif 000007
【図６】
2010134050.tif 000008
【図７】
2010134050.tif 000009
【図８】
2010134050.tif 000010
【図９】
2010134050.tif 000011